【手続補正書】
【提出日】平成19年9月18日(2007.9.18)
【手続補正１】
【補正対象書類名】特許請求の範囲
【補正対象項目名】全文
【補正方法】変更
【補正の内容】
【特許請求の範囲】
【請求項１】
物理的対象物をデジタル化するための方法において、
（ａ）複数のシーケンシャルな光のパターンであって、それぞれ、複数の識別可能な曲線を含んでおり、第１のパターンは、第１の本数の識別可能な曲線を含んでおり、後に続くパターンは、該第１の本数の識別可能な曲線と少なくとも同じ本数の曲線を含んでいる複数のシーケンシャルな光のパターンを、対象物の表面に投影する段階と、
（ｂ）該表面から反射した光を捕捉する段階と、
（ｃ）該捕捉した光に従って、該表面の点の座標ｘ、ｙ、ｚを求める段階と、から成る方法。
【請求項２】
該複数のシーケンシャルな光のパターンは白色光から成っている、請求項１に記載の方法。
【請求項３】
該複数の識別可能な曲線は、それぞれ、経時的には実質的に一定の強度プロフィールで特徴付けられている、請求項１に記載の方法。
【請求項４】
該段階（ａ）は、該複数の識別可能な曲線を生成するために、２軸ミラーを使ったレーザー光点の掃引によって、光のパターンを生成する段階を更に含んでいる、請求項１に記載の方法。
【請求項５】
該複数の識別可能な曲線は、それぞれ、変調された強度パターンで特徴付けられている、請求項４に記載の方法。
【請求項６】
該段階（ａ）は、該複数の識別可能な曲線を生成するために、複数の直交搭載された単軸ミラーを使ったレーザー光点の掃引によって、光のパターンを生成する段階を更に含んでいる、請求項１に記載の方法。
【請求項７】
該複数の識別可能な曲線を光学的に生成する段階を更に含んでいる、請求項１に記載の方法。
【請求項８】
該複数の識別可能な曲線は、それぞれ、変調された強度パターンと走査速度によって特徴付けられている、請求項７に記載の方法。
【請求項９】
該走査速度と変調は可変である、請求項８に記載の方法。
【請求項１０】
複数の静的パターンの照射された線を生成するために、複数のレーザー光点を複数の光学要素を通して光学的に投影する段階を更に含んでいる、請求項１に記載の方法。
【請求項１１】
該複数の識別可能な曲線を生成するため、単一のレーザー源を更に備えている、請求項１０に記載の方法。
【請求項１２】
機械的なスイッチを使って、該複数の識別可能な曲線を生成する段階を更に含んでいる、請求項１１に記載の方法。
【請求項１３】
該機械的なスイッチはミラーを備えている、請求項１２に記載の方法。
【請求項１４】
該複数の識別可能な曲線は、電気光学スイッチを使って作られる、請求項１３に記載の方法。
【請求項１５】
該電気光学スイッチは液晶（ＬＣ）スイッチを備えている、請求項１４に記載の方法。
【請求項１６】
該座標をコンピューターシステムで処理する段階を更に含んでいる、請求項１に記載の方法。
【請求項１７】
該後に続くパターンは、該第１の本数の識別可能な曲線を上回る本数の曲線を含んでいる、請求項１に記載の方法。
【請求項１８】
（ｄ）該表面の視覚的表示として該座標を表示する段階を更に含んでいる、請求項１に記載の方法。
【請求項１９】
歯科用画像化システムにおいて、
（ａ）複数のシーケンシャルなパターンであって、それぞれ、複数の識別可能な曲線を含んでおり、第１のパターンは第１の本数の識別可能な曲線を含んでおり、後に続くパターンは、該第１の本数の識別可能な曲線を上回る本数の曲線を含んでいる、複数のシーケンシャルなパターンを歯科品目に向けて投影するための手段と、
（ｂ）該歯科品目の表面から反射した光を捕捉するための手段と、
（ｃ）該表面から反射して捕捉された該光に従って、該表面の特徴に関係付けられたデータ点を求めるための手段と、
（ｄ）該データ点に従って、該歯科品目の該表面の三次元表示を表示するための手段と、
を備えているシステム。
【請求項２０】
歯科用デジタル化システムにおいて、
（ａ）一連の照射期間のそれぞれにおいて、歯科対象物を、複数の識別可能な曲線を含む光のパターンで照射するように構成されている投影器であって、第１の光のパターンは第１の本数の識別可能な曲線を含んでおり、後に続くパターンは、該第１の本数の識別可能な曲線を上回る本数の識別可能な曲線を含むようにして歯科対象物を照射する投影器と、
（ｂ）各照射期間の間に反射した光に従って画像を捕捉するように構成されているカメラと、
（ｃ）各画像に従って該対象物の表面の特徴に関係付けられた点集合を求め、該捕捉された各画像をコンパイルして該対象物の画像を形成するように構成されている制御器と、
（ｄ 該対象物の画像を表示するためのディスプレイと、を備えているシステム。
【請求項２１】
該投影器は、シングルポイントレーザー源から該複数の識別可能な曲線を光学的に生成するように構成されているレーザー源を備えている、請求項２０に記載の歯科用デジタル化システム。
【請求項２２】
該投影器は、該複数の識別可能な曲線を生成するように構成されている複数のレーザー源を備えている、請求項２０に記載の歯科用デジタル化システム。
【手続補正２】
【補正対象書類名】明細書
【補正対象項目名】００１６
【補正方法】変更
【補正の内容】
【００１６】
或る実施形態では、カメラ２０６は、一般的なパターン又は複数の線のパターンを画像化する高速度カメラである。カメラ２０６は、又、読み取り期間の間、複数の線のパターンを捕捉することができる。図２
に示している関係は、そのような線のパターン中の単一の点について表している。三角測量軸Ｒは、カメラ２０６からの軸光線と投影器２０４の軸光線の交点を通過すると定義することができる。軸Ｒは、カメラ２０６からの軸光線と投影器２０４の軸光線に垂直であってもよい。三角測量軸Ｒは、ＹとＹ’に実質的に平行であってもよい。投影器２０４からの有効光線とカメラ２０６への有効光線の間の最小角度θは、ゼロではない。
【手続補正３】
【補正対象書類名】明細書
【補正対象項目名】００１９
【補正方法】変更
【補正の内容】
【００１９】
カメラ２０６の局所座標系ＸＹは、更に、座標系ＸＹＺで特徴付けられていてもよく、ここで、カメラによって定義されるＸＹ座標系はＺ軸を含んでおり、Ｚ軸はＸ軸とＹ軸の両方に実質的に垂直である。軸Ｚは、光学的制限に基づく範囲のＺに関する値を含んでいる。Ｚの値は、ｄ１≦ｚ≦ｄ２となるように、距離ｄ１及びｄ２に基づいていてもよい。Ｚに垂直な面に入射した投影された線からの１つの点は、Ｘ方向にΔＸだけ変位しているように見える。三角測量角度に基づいて、下記の状態が存在する：
【手続補正４】
【補正対象書類名】明細書
【補正対象項目名】００２５
【補正方法】変更
【補正の内容】
【００２５】
同時に識別可能な線の最大本数ｎmaxは、フィールドの深さｄ１−ｄ２が減少するにつれて増大する。同時に識別可能な線の最大本数ｎmaxはまた、θmaxが減少するにつれて増大する。また、測定の精度は、θmaxの値が小さくなるほど低下する可能性がある。更に、フィールドの深さが減少すると、デジタル化に役に立つボリュームが減少する結果となる可能性がある。
【手続補正５】
【補正対象書類名】明細書
【補正対象項目名】００２８
【補正方法】変更
【補正の内容】
【００２８】
式（４）によって、表面３０８に入射するパターンＡ１の各線は、一意的に標示付け又は識別することができる。パターンＡ１の各線毎に、上記式を使って、線上の各点のｘ、ｙ、ｚ座標が求められる。各線Ｌｉ毎に、線Ｌｉに沿う表面の特徴を表すデータ点が作られる。このデータ点から、線Ｌｉに沿う表面３０２の三次元表示が生成される。パターンＡ１の全ての線から、デジタル化されている対象物の表面の近似値が求められる。
【手続補正６】
【補正対象書類名】図面
【補正対象項目名】図１
【補正方法】変更
【補正の内容】
【図１】
2007521491.tif 000001